【手続補正書】
【提出日】平成31年2月7日(2019.2.7)
【手続補正１】
【補正対象書類名】明細書
【補正対象項目名】００１１
【補正方法】変更
【補正の内容】
【００１１】
本発明の表示装置は、面内が複数の画素で区分された発光体と、当該発光体の光出射面上に配置される保護フィルムとを備え、次のステップＡ〜Ｆを含む評価方法で評価したときのギラツキ指数が３．０以下かつバラツキ幅が１．１以下である：
ステップＡ：発光体を点灯した状態で撮影手段により保護フィルムを介して発光体を撮影してカラー画像データを得るステップ、
ステップＢ：ステップＡで取得した前記カラー画像データに対しフーリエ変換し、フーリエ変換後のデータから前記画素の配列に相当する周波数成分を除去した後、逆フーリエ変換を施すステップ、
ステップＣ：ステップＢで得たデータのＲＧＢ値の標準偏差値及びその平均値を算出するステップ、
ステップＤ：前記発光体に前記保護フィルムを配置しないで前記ステップＡ〜Ｄを実行し、ＲＧＢ値の標準偏差値の平均値を参照値として算出するステップ、
ステップＥ：ステップＣで算出したＲＧＢ値の標準偏差値の平均値とステップＤで算出した前記参照値とのずれ量をギラツキ指数として算出するステップ、および
ステップＦ：ステップＣで算出したＲＧＢ値の標準偏差の差をバラツキ幅として算出するステップ。
【手続補正２】
【補正対象書類名】明細書
【補正対象項目名】００１５
【補正方法】変更
【補正の内容】
【００１５】
また、本発明の保護フィルムは、面内が複数の画素で区分され、面内を区分する画素の密度が３００ピクセル／インチ（ＰＰＩ）以上の発光体と、当該発光体の光出射面上に配置される保護フィルムとを備えた表示装置に用いられ、次のステップＡ〜Ｆを含む評価方法（「ギラツキ評価方法」という）で評価したときのギラツキ指数が３．０以下かつバラツキ幅が１．１以下である：
ステップＡ：発光体を点灯した状態で撮影手段により保護フィルムを介して発光体を撮影してカラー画像データを得るステップ、
ステップＢ：ステップＡで取得した前記カラー画像データに対しフーリエ変換し、フーリエ変換後のデータから前記画素の配列に相当する周波数成分を除去した後、逆フーリエ変換を施すステップ、
ステップＣ：ステップＢで得たデータのＲＧＢ値の標準偏差値及びその平均値を算出するステップ、
ステップＤ：前記発光体に前記保護フィルムを配置しないで前記ステップＡ〜Ｃを実行し、ＲＧＢ値の標準偏差値の平均値を参照値として算出するステップ、
ステップＥ：ステップＣで算出したＲＧＢ値の標準偏差値の平均値とステップＤで算出した前記参照値とのずれ量をギラツキ指数として算出するステップ、および
ステップＦ：ステップＣで算出したＲＧＢ値の標準偏差の差をバラツキ幅として算出するステップ。
また、本発明の、面内が複数の画素で区分された発光体と保護フィルムとを備えた表示装置を作製する方法は、
前記発光体の光出射面上に前記保護フィルムを配置するステップと、
ギラツキ評価方法を行うステップと、を含み、
前記保護フィルムを配置するステップは、前記保護フィルムとして、前記ギラツキ評価方法のステップで評価したときのギラツキ指数が３．０以下かつバラツキ幅が１．１以下である保護フィルムを用いる。
また、本発明の保護フィルムを使用する方法は、ギラツキ評価方法で評価して、ギラツキ指数が３．０以下かつバラツキ幅が１．１以下である保護フィルムを、面内が複数の画素で区分された発光体を備えた表示装置に用いる。
【手続補正３】
【補正対象書類名】明細書
【補正対象項目名】００２６
【補正方法】変更
【補正の内容】
【００２６】
例えば、表面部材２２が保護板２２ａ、タッチパネル２２ｂ、または偏光板２２ｃの場合、図２に示すように、発光体２３の光出射面上であり、表面部材２２（２２ａ、２２ｂ、２２ｃ）の表面側に、保護フィルム１を積層することにより表示装置２４を構成してもよい。
【手続補正４】
【補正対象書類名】明細書
【補正対象項目名】００３４
【補正方法】変更
【補正の内容】
【００３４】
次に、上記構成の表示装置のギラツキ指数およびバラツキ幅を決定するためのギラツキ評価方法を図８を参照して説明する。ギラツキ評価方法は、主に、発光体２３を点灯した状態で撮影手段により保護フィルム１を介して発光体２３を撮影してカラー画像データを得るステップＡ（図８のＳ１）と、ステップＡで取得したカラー画像データに対しフーリエ変換し、フーリエ変換後のデータから画素の配列に相当する周波数成分を除去した後、逆フーリエ変換を施すステップＢ（図８のＳ２）と、ステップＢで得たデータのＲＧＢ値の標準偏差値及びその平均値を算出するステップＣ（図８のＳ３）と、発光体２３に保護フィルム１を配置しないでステップＡからステップＣを実行し、ＲＧＢ値の標準偏差値の平均値を参照値として算出するステップＤ（図８のＳ４）と、ステップＣで算出したＲＧＢ値の標準偏差値の平均値とステップＤで算出した上記参照値とのずれ量をギラツキ指数として算出するステップＥ（図８のＳ５）と、ステップＣで算出したＲＧＢ値の標準偏差の差をバラツキ幅として算出するステップＦ（図８のＳ６）とを含む。
【手続補正５】
【補正対象書類名】特許請求の範囲
【補正対象項目名】請求項１
【補正方法】変更
【補正の内容】
【請求項１】
面内が複数の画素で区分された発光体と、当該発光体の光出射面上に配置される保護フィルムとを備えた表示装置であって、
次のステップＡ〜Ｆを含む評価方法で評価したときのギラツキ指数が３．０以下かつバラツキ幅が１．１以下であることを特徴とする表示装置：
ステップＡ：発光体を点灯した状態で撮影手段により保護フィルムを介して発光体を撮影してカラー画像データを得るステップ、
ステップＢ：ステップＡで取得した前記カラー画像データに対しフーリエ変換し、フーリエ変換後のデータから前記画素の配列に相当する周波数成分を除去した後、逆フーリエ変換を施すステップ、
ステップＣ：ステップＢで得たデータのＲＧＢ値の標準偏差値及びその平均値を算出するステップ、
ステップＤ：前記発光体に前記保護フィルムを配置しないで前記ステップＡ〜Ｃを実行し、ＲＧＢ値の標準偏差値の平均値を参照値として算出するステップ、
ステップＥ：ステップＣで算出したＲＧＢ値の標準偏差値の平均値とステップＤで算出した前記参照値とのずれ量をギラツキ指数として算出するステップ、および
ステップＦ：ステップＣで算出したＲＧＢ値の標準偏差の差をバラツキ幅として算出するステップ。
【手続補正６】
【補正対象書類名】特許請求の範囲
【補正対象項目名】請求項５
【補正方法】変更
【補正の内容】
【請求項５】
面内が複数の画素で区分され、面内を区分する画素の密度が３００ピクセル／インチ（ＰＰＩ）以上の発光体と、当該発光体の光出射面上に配置される保護フィルムとを備えた表示装置に用いられる保護フィルムであって、
次のステップＡ〜Ｆを含む評価方法で評価したときのギラツキ指数が３．０以下かつバラツキ幅が１．１以下であることを特徴とする保護フィルム：
ステップＡ：発光体を点灯した状態で撮影手段により保護フィルムを介して発光体を撮影してカラー画像データを得るステップ、
ステップＢ：ステップＡで取得した前記カラー画像データに対しフーリエ変換し、フーリエ変換後のデータから前記画素の配列に相当する周波数成分を除去した後、逆フーリエ変換を施すステップ、
ステップＣ：ステップＢで得たデータのＲＧＢ値の標準偏差値及びその平均値を算出するステップ、
ステップＤ：前記発光体に前記保護フィルムを配置しないで前記ステップＡ〜Ｃを実行し、ＲＧＢ値の標準偏差値の平均値を参照値として算出するステップ、
ステップＥ：ステップＣで算出したＲＧＢ値の標準偏差値の平均値とステップＤで算出した前記参照値とのずれ量をギラツキ指数として算出するステップ、および
ステップＦ：ステップＣで算出したＲＧＢ値の標準偏差の差をバラツキ幅として算出するステップ。
【手続補正７】
【補正対象書類名】特許請求の範囲
【補正対象項目名】請求項６
【補正方法】変更
【補正の内容】
【請求項６】
面内が複数の画素で区分された発光体と、保護フィルムとを備えた表示装置を作製する方法であって、
前記発光体の光出射面上に前記保護フィルムを配置するステップと、
次のステップＡ〜Ｆを含む評価方法を行うステップと、を含み、
ステップＡ：発光体を点灯した状態で撮影手段により保護フィルムを介して発光体を撮影してカラー画像データを得るステップ、
ステップＢ：ステップＡで取得した前記カラー画像データに対しフーリエ変換し、フーリエ変換後のデータから前記画素の配列に相当する周波数成分を除去した後、逆フーリエ変換を施すステップ、
ステップＣ：ステップＢで得たデータのＲＧＢ値の標準偏差値及びその平均値を算出するステップ、
ステップＤ：前記発光体に前記保護フィルムを配置しないで前記ステップＡ〜Ｃを実行し、ＲＧＢ値の標準偏差値の平均値を参照値として算出するステップ、
ステップＥ：ステップＣで算出したＲＧＢ値の標準偏差値の平均値とステップＤで算出した前記参照値とのずれ量をギラツキ指数として算出するステップ、および
ステップＦ：ステップＣで算出したＲＧＢ値の標準偏差の差をバラツキ幅として算出するステップ、
前記保護フィルムを配置するステップは、前記保護フィルムとして、前記評価方法のステップで評価したときのギラツキ指数が３．０以下かつバラツキ幅が１．１以下である保護フィルムを用いることを特徴とする、表示装置を作製する方法。
【手続補正８】
【補正対象書類名】特許請求の範囲
【補正対象項目名】請求項７
【補正方法】変更
【補正の内容】
【請求項７】
次のステップＡ〜Ｆを含む評価方法で評価して、ギラツキ指数が３．０以下かつバラツキ幅が１．１以下である保護フィルムを、面内が複数の画素で区分された発光体を備えた表示装置に用いることを特徴とする保護フィルムを使用する方法：
ステップＡ：発光体を点灯した状態で撮影手段により保護フィルムを介して発光体を撮影してカラー画像データを得るステップ、
ステップＢ：ステップＡで取得した前記カラー画像データに対しフーリエ変換し、フーリエ変換後のデータから前記画素の配列に相当する周波数成分を除去した後、逆フーリエ変換を施すステップ、
ステップＣ：ステップＢで得たデータのＲＧＢ値の標準偏差値及びその平均値を算出するステップ、
ステップＤ：前記発光体に前記保護フィルムを配置しないで前記ステップＡ〜Ｃを実行し、ＲＧＢ値の標準偏差値の平均値を参照値として算出するステップ、
ステップＥ：ステップＣで算出したＲＧＢ値の標準偏差値の平均値とステップＤで算出した前記参照値とのずれ量をギラツキ指数として算出するステップ、および
ステップＦ：ステップＣで算出したＲＧＢ値の標準偏差の差をバラツキ幅として算出するステップ。